(57)【特許請求の範囲】
【請求項１】
ワークを長手方向コンベヤから受取り、横コンベヤの給送装置に放出する、下部コンベヤベルトと共に進行する吸引ベルトコンベヤを有し、長軸方向に搬送された平坦でほぼ矩形のワークを前記搬送方向に対して横向きの搬送方向に移送する装置において、
吸引ボックスの上を下部コンベヤベルトと共に進行する吸引ベルトが、ワークの長さよりも長い間隔を隔てて、吸引穴が貫通して設けられた吸引節部を具備し、
吸引ベルトが、それぞれ２列の横列の吸引節部の間にほぼ同じ高さの、吸引穴なしの節部を具備している、ことを特徴とする装置。
【請求項２】
吸引ベルトコンベヤが、吸引ボックス内に設けた２つの吸引スリットに対応したそれぞれ２つの横列に配列した吸引節部を具備している、ことを特徴とする請求項１に記載の装置。
【請求項３】
吸引ベルトが、互いに平行に並置され、同期的に駆動される２つの吸引ベルトからなり、その各々が長手方向に延びた吸引節部と、吸引穴なしの節部とを担持している、ことを特徴とする請求項１又は２に記載の装置。
【請求項４】
互いに平行に延びる吸引ベルトが、駆動ロール並びに案内ローラの歯付き領域の上に延びた外側の歯付き領域と、吸引ボックスの吸引スリットの上に延びた内側の歯付きではない領域とを有している、ことを特徴とする請求項１〜３のいずれか１項に記載の装置。
【請求項５】
吸引ボックスが、送出側に中心スリットを有し、このスリット内に吸引コンベヤの始端と重なって移送ローラの端部が位置している、ことを特徴とする請求項１〜４のいずれか１項に記載の装置。
【請求項６】
吸引コンベヤの搬送端部には、ワークを吸引ベルトから剥離するディフレクタが設けられている、ことを特徴とする請求項１〜５のいずれか１項に記載の装置。
【請求項７】
前記ディフレクタを吸引ボックスの搬送端部の領域の中心スリット内に配置した、ことを特徴とする請求項６に記載の装置。
【請求項８】
給送装置が、長手方向の搬送方向に対して横向きに配置したストッパによって制限されている、ことを特徴とする請求項１〜７のいずれか１項に記載の装置。
【請求項９】
前記給送装置が搬送溝を有し、その床部に、エンドレス・コンベヤ手段の伝動部材が嵌合する互いに平行な縦溝を設けた、ことを特徴とする請求項１〜８のいずれか１項に記載の装置。
【発明の詳細な説明】
【０００１】
【産業上の利用分野】
本発明はワークを長手方向コンベヤから受取り、横コンベヤの給送装置に放出する、空ベルトと共に進行する吸引ベルトコンベヤを有する、長軸方向に搬送された平坦でほぼ矩形のワーク、好ましくは把手部材を前記搬送方向に対して横向きの搬送方向に移送する装置に関する。
【０００２】
【従来技術】
袋類を製造する装置においては製造した各袋類に、これに連結する部品を給送するために前記の種類の装置が必要である。例えば、いわゆる“ぎざぎざ付き把手”を有する袋を製造するためには袋製品に、把手形に湾曲した荷造り紐からなり、その端部領域で細長く、互いに接着された２つのセグメントの間に脚部を取付けた把手部材を給送する必要がある。その場合、ぎざぎざ付き把手は連続した把手バンドになるように条片と接着され、そこから個々の把手部材が分離される。最初に長手方向に搬送される把手部材は次に横方向に方向転換され、そこで個々の把手部材はこれを適正な状態で袋製品に搬送できるように互いに平行にされる。
【０００３】
【発明が解決しようとする課題】
冒頭に述べた種類の公知の装置では、吸引ベルトコンベヤによって搬送される把手部材は付着力、および場合によっては静電荷により、吸引空気の供給の終了後も吸引ベルトコンベヤに付着する傾向があるので、ワークを吸引コンベヤベルトから解放し、横方向コンベヤの給送装置へと送出すことが困難であり、一定の時間がかかる。従って公知の装置では、個々のぎざぎざ付き把手を袋の製造速度で袋製品に給送することはできない。
【０００４】
従って、本発明の目的は、例えば袋のような半製品の製造個数を増加させるため、製造に必要な材料の給送速度を高めることにある。
【０００５】
【課題を解決するための手段】
上記の目的は本発明に従って、下部コンベヤベルトとともに吸引ボックスの上を進行する吸引ベルトが、ワークの長さよりも長い間隔を隔てて、吸引穴が貫通して設けられたスペーサ障害物、すなわち吸引節部を具備していることによって達成される。
【０００６】
【作用】
本発明の装置では、長手方向の搬送方向から横方向へと移送される部材が、前部の領域が吸引節部によって吸引され、給送装置の上で解放されるので、把手部材は適正な状態で吸引ベルトコンベヤから落下する。本発明に従った装置によって、把手部材は吸引節部を介して吸引されるだけであり、従って把手部材の全長が付着力および静電荷の双方または一方により吸引ベルトに付着することがないので、搬送効率は大幅に高まる。
【０００７】
吸引節部は台座状の隆起部、または吸引穴を設けたディスクからなっており、このディスクは吸引ベルトと接着されるか、その他の方法で固着されている。把手部材は吸引節部の領域でだけ吸引ベルトコンベヤに付着するので、不都合な付着力が大幅に削減されるので、所望の速度で吸引ベルトコンベヤから解放されることができる。
【０００８】
吸引ベルトコンベヤは、吸引ボックスに設けた２つの吸引スリットに対応したそれぞれ２つの横列に配列した吸引節部を具備している。勿論、一列の横列内に２つ以上の吸引節部を配置することもできる。しかし、把手部材を確実かつ正確に引き渡し移送するには２つの吸引節部で充分である。
【０００９】
本発明の別の構成では、吸引ベルトはそれぞれ２列の横列の吸引節部の間にほぼ同じ高さの、吸引穴なしの節部を具備している。吸引穴部を設けていないこの付加的な節部は、把手部材、すなわちワークの後部が吸引ベルトコンベヤに不都合に付着することを防止するスペーサとしての役割を果たす。
【００１０】
吸引ベルトは、互いに平行に並置され、周期的に駆動される２つの吸引ベルトからなるのが有利であり、その各々が長手方向に延びた吸引節部と、節部を担持している。
互いに平行に延びた双方の吸引ベルトは、駆動ローラ並びに案内ローラの歯付き領域の上に延びた外側の歯付き領域と、吸引ボックスの吸引スリットの上に延びた内側の歯付きではない領域とを有している。
【００１１】
本発明の別の構成では、吸引ボックスが送出側に中心スリットを有し、このスリット内に吸引コンベヤの始端と重なって移送ローラの端部が位置している。
【００１２】
吸引ベルトコンベヤの搬送端部の領域には、ワークを吸引ベルトから剥離するディフレクタを備えており、このディフレクタは把手部材を迅速かつ適正な状態で剥離し、放出する役割を果たす。ディフレクタは吸引ボックスの搬送端部の領域の中心スリットに配置してあるので、吸引節部の吸引穴が吸引スリットを越えると直ちに、迅速かつ適正な状態での剥離が可能である。
【００１３】
給送装置は長手方向の搬送方向に対して横向きに配置したストッパによって制限されることが可能である。
前記給送装置は搬送溝からなり、その床部にエンドレス・コンベヤ手段の伝動部材が嵌合する互いに平行な縦溝を設けてある。その場合、一対で設けられた双方の伝動部材はワークを前方に押しやるので、ワークは位置合わせされる。ワークが把手部材である場合は、把手の柄が再研磨されるときに位置合わせすれば充分である。給送装置は有利に、ワークの形状に適合する溝からなっており、従ってワークがこの装置から適正な状態で横方向に出ることができる。
【００１４】
【実施例】
次に、本発明の実施例について図面を参照して詳細に説明する。
図２に示すように、把手条片から分離された把手部材１は先ず矢印Ａ方向に長手方向に横コンベヤ装置の給送装置２まで搬送される。給送装置２の上方では把手部材１が給送コンベヤから解放され、もしくは放出され、その結果、把手部材１は蓄積溝３内に落下し、そこで把手部材は等間隔を隔ててエンドレスの搬送チェーン６、７に取付けられた伝動部材４、５によって搬送方向Ａとは直角の矢印Ｂの方向へと移送される。
【００１５】
互いに接着された２枚の紙片からなり、双方の紙片の間には把手１０の脚８、９の端部が固定されている把手帯材は給送用コンベヤベルト１１から給送される。把手帯材は次に給送用コンベヤ１２へと進入し、給送ベルト１１と給送コンベヤ１２との間のスリット状の空隙には、把手帯材から個々の把手部材１を切断するクロスカッタ１３が配設されている。クロスカッタ装置１３はフレームに固定された下刃１４と、駆動されてフレームに固定された軸１５を支えに回転するカッタ刃１６とからなっている。接触しないカッタ刃１４、１６の間に挿入される把手帯材の前端部は、上ベルト１８と下ベルト１９とからなる二重ベルトコンベヤの入口スリット１７内に流入し、二重ベルトコンベヤによって搬送される。回転カッタ刃１６が固定カッタ刃１４を通過することによってギザギザ付き把手部材が把手帯材から分離されると直ちに、この部材に同じ速度で回転するローラ２２と連動する上部ローラ２１の搬送セグメント２０が接触する。それによって、そのつど分離される把手部材１の切断の直後に、給送ベルト１１よりも速い速度で循環する二重ベルトコンベヤ１８、１９の搬送速度が加速される。
【００１６】
図２に示すように、搬送セグメント２０を備えたローラ２１は、回転軸２８を支点に枢転可能にフレームに支承されたＬ字クランク２７の水平アーム２６に支承され、Ｌ字クランク２７の垂直アーム２９は引張りばね３０によってフレームに固定されたストッパ３１と当接して保持されている。セグメント・ローラ２０、２１をこのように支承することによって、ばね力に抗して旋回することが可能である。
【００１７】
給送コンベヤ１２には移送ローラ３５が接続しており、この移送ローラ３５は内側の下ベルトが吸引ボックス３８上を走行する２個の吸引ベルト３６、３７からなっている。吸引ベルト３６、３７は歯付き外部領域３６’、３７’を備えており、これらの外部領域はそれぞれ同軸に機械フレームに軸支された駆動ローラおよび案内ローラ４０、４１および４２，４３の歯付き外部領域の上方を走行する。吸引ベルト３６、３７は図１に示すように等間隔を隔てて節部４４と吸引節部４５とを設けた平坦な内側部分を有している。吸引節部には節部とベルトとを貫通する吸引穴４６を設けてある。図１に示すように、それぞれ２個の吸引節部４５の間には吸引穴なしの２個の節部４４が配置されている。
【００１８】
吸引ボックス３８は下側に２個の吸引スリット５０、５１を具備しており、その上を吸引節部４５が延びている。２個の吸引節部４５の相互間隔は把手部材１の長さよりも長い。
吸引ボックス３８はその入口側に中心切欠き部５４を有し、この切欠き部内にローラ・ディスク２１の間の中心に配置した二重ベルトコンベヤ１８、１９が進入する。その際に、二重ベルトコンベヤ１８、１９のコンベヤ端部が吸引ベルトコンベヤの進入端と重なるので、把手部材１が案内され、同じ状態を保持したまま給送コンベヤ装置１２から、吸引ベルトコンベヤからなる移送コンベヤ３５へと移送される。
【００１９】
吸引ボックス３８は、また、移送コンベヤ３５の端部領域に中心切欠き部５６を有し、この切欠き部内にストリッパ５８の斜めの脚部５７が係止されている。吸引ベルト３６、３７の案内ローラ４２、４３もほぼ水平の脚部６０でフレーム内の軸６１を支点に枢転可能に支承されたクランクに軸支されており、このクランクのほぼ垂直の脚部６２には垂直脚部をフレームに固定されたストッパ６４との当接状態に保持する引張りばね６３が結合されている。
【００２０】
吸引ボックス３８の下方には前述の蓄積溝３を設けてあり、この蓄積溝３は床部に互いに平行な２つのスリット６７を設け、スプロケット７０、７１を介して走行するエンドレスの搬送チェーン６８、６９に等間隔を隔てて固定されたピン状の伝動部材４、５が前記スリットと嵌合している。
蓄積溝３の側部は下方に曲折した縁部７２、７３によって境界付けされている。
【００２１】
上記の構成により、カッタ装置１３によって把手帯材から分離された把手部材１は一対のローラ２１、２２から二重コンベヤベルト１８、１９の搬送速度へと加速され、その後、適正な状態を保持したまま把手部材の前端部が吸引コンベヤの吸引節部４５によって吸引され、その後、前記吸引コンベヤは蓄積溝３へと把手部材１を搬送する。吸引節部の吸引穴４６が吸引スリット５０、５１の上を進行すると、把手部材の前端部が吸引節部４５から解放されるので、把手部材は蓄積溝３内に落下する。この蓄積動作は、把手部材の引きずられた後端部が節部４４によって双方の吸引ベルトから間隔を隔てられ、従って吸引ベルトに吸着しないので、より速い速度で行われる。剥離動作はストリッパ５７、５８によって補助される。その後、把手部材の前端部は溝壁に衝突し、伝動部材４、５による溝３内への横移動によって、溝の内部で位置合わせされるので、把手部材１を適正な状態のまま袋のワークへと給送できる。
【図面の簡単な説明】
【図１】長手方向に搬送された把手部材を横方向に移送する装置の概略図である。
【図２】一部を図１のII−II線に沿って断面化した図１の装置の平面図である。
【符号の説明】
１    把手部材
２    給送装置
１０    把手
１１    給送ベルト
１２    給送コンベヤ
１７    入口スリット
３５    移送コンベヤ
３６    吸引ベルト
３７    吸引ベルト
３８    吸引ボックス
４４    節部
４５    吸引節部
５６    切欠き部
５８    ストリッパ
【図１】
0003708988.tif 000002
【図２】
0003708988.tif 000003